【手続補正書】
【提出日】平成18年8月21日(2006.8.21)
【手続補正１】
【補正対象書類名】特許請求の範囲
【補正対象項目名】全文
【補正方法】変更
【補正の内容】
【特許請求の範囲】
【請求項１】
製品の組立て費、部品費、及び部品管理費を集計して製品のコスト見積もりを行うコスト見積もり装置において、
前記製品の接続ブロックを抽出する接続ブロック抽出手段と、
前記接続ブロックを構成する各部品を特定する部品特定データを取得する部品特定データ取得手段と、
前記部品特定データに基づいて前記各部品の部品情報を抽出する部品情報抽出手段と、
前記部品情報に基づいて前記各部品の工程設定情報を抽出する工程設定情報抽出手段と、
前記工程設定情報及び予め設定された工程決定基準に基づいて前記接続ブロック毎に組立て工程を決定する組立て工程決定手段とを備えることを特徴とするコスト見積もり装置。
【請求項２】
前記接続ブロック抽出手段は、前記接続ブロックが抽出される回路図データを格納する回路図データ格納手段を備えることを特徴とする請求項１記載のコスト見積もり装置。
【請求項３】
前記部品情報抽出手段は、前記抽出される部品情報を予めデータベースとして格納する工程設定情報格納手段を備えることを特徴とする請求項１又は２記載のコスト見積もり装置。
【請求項４】
前記工程情報抽出手段は、前記抽出される工程情報を予めデータベースとして格納する工程設定情報格納手段を備えることを特徴とする請求項１乃至３のいずれか１項に記載のコスト見積もり装置。
【請求項５】
前記工程決定基準は、全自動機で組み立てできる組立て工程を最優先で決定し、全自動機で組立てできない半自動機又は手作業の組立て工程を順次決定する基準であることを特徴とする請求項１乃至４のいずれか１項に記載のコスト見積もり装置。
【請求項６】
組立て費、部品費、及び部品管理費を集計して製品のコスト見積もりを行うコスト見積もり方法において、前記製品の接続ブロックを抽出する接続ブロック抽出ステップと、前記接続ブロックを構成する各部品を特定する部品特定データを取得する部品特定データ取得ステップと、前記部品特定データに基づいて前記各部品の部品情報を抽出する部品情報抽出ステップと、前記部品情報に基づいて前記各部品の工程情報を抽出する工程情報抽出ステップと、前記部品情報及び前記工程情報から成る工程設定情報と予め設定された工程決定基準とに基づいて前記接続ブロック毎に組立て工程を決定する組立て工程決定ステップとを備えることを特徴とするコスト見積もり方法。
【請求項７】
前記接続ブロック抽出ステップは、前記接続ブロックが抽出される回路図データを格納する回路図データ格納ステップを備えることを特徴とする請求項６記載のコスト見積もり方法。
【請求項８】
前記部品情報抽出ステップは、前記抽出される部品情報を予めデータベースとして格納する工程設定情報格納ステップを備えることを特徴とする請求項６又は７記載のコスト見積もり方法。
【請求項９】
前記工程設定情報抽出ステップは、前記抽出される工程設定情報を予めデータベースとして格納する工程設定情報格納ステップを備えることを特徴とする請求項６乃至８のいずれか１項に記載のコスト見積もり方法。
【請求項１０】
前記工程決定基準は、全自動機で組み立てできる組立て工程を最優先で決定し、全自動機で組立てできない半自動機又は手作業の組立て工程を順次決定する基準であることを特徴とする請求項６乃至９のいずれか１項に記載のコスト見積もり方法。
【請求項１１】
組立て費、部品費、及び部品管理費を集計して製品のコスト見積もりを行うコスト見積もり方法をコンピュータにより実行させるプログラムにおいて、前記製品の接続ブロックを抽出する接続ブロック抽出ステップと、前記接続ブロックを構成する各部品を特定する部品特定データを取得する部品特定データ取得ステップと、前記部品特定データに基づいて前記各部品の部品情報を抽出する部品情報抽出ステップと、前記部品情報に基づいて前記各部品の工程情報を抽出する工程情報抽出ステップと、前記部品情報及び前記工程情報から成る工程設定情報と予め設定された工程決定基準とに基づいて前記接続ブロック毎に組立て工程を決定する組立て工程決定ステップとを備えることを特徴とするプログラム。
【請求項１２】
請求項１１記載のプログラムを格納するコンピュータ読取り可能な記憶媒体。
【手続補正２】
【補正対象書類名】明細書
【補正対象項目名】０００１
【補正方法】変更
【補正の内容】
【０００１】
本発明は、コスト見積もり装置及びそのコスト見積もり方法、並びにプログラム及び記憶媒体に関し、特に、ハーネスのコスト見積もり装置及びそのコスト見積もり方法、並びにプログラム及び記憶媒体に関する。
【手続補正３】
【補正対象書類名】明細書
【補正対象項目名】０００６
【補正方法】変更
【補正の内容】
【０００６】
本発明の目的は、製品のコスト見積もりの精度を向上させることができるコスト見積もり装置及びそのコスト見積もり方法、並びにプログラム及び記憶媒体を提供することにある。
【手続補正４】
【補正対象書類名】明細書
【補正対象項目名】０００７
【補正方法】変更
【補正の内容】
【０００７】
上記目的を達成するために、請求項１記載のコスト見積もり装置は、組立て費、部品費、及び部品管理費を集計して製品のコスト見積もりを行うコスト見積もり装置において、前記製品の接続ブロックを抽出する接続ブロック抽出手段と、前記接続ブロックを構成する各部品を特定する部品特定データを取得する部品特定データ取得手段と、前記部品特定データに基づいて前記各部品の部品情報を抽出する部品情報抽出手段と、前記部品情報に基づいて前記各部品の工程設定情報を抽出する工程設定情報抽出手段と、前記工程設定情報及び予め設定された工程決定基準に基づいて前記接続ブロック毎に組立て工程を決定する組立て工程決定手段とを備えることを特徴とする。
上記目的を達成するために、請求項６記載のコスト見積もり方法は、組立て費、部品費、及び部品管理費を集計して製品のコスト見積もりを行うコスト見積もり方法において、前記製品の接続ブロックを抽出する接続ブロック抽出ステップと、前記接続ブロックを構成する各部品を特定する部品特定データを取得する部品特定データ取得ステップと、前記部品特定データに基づいて前記各部品の部品情報を抽出する部品情報抽出ステップと、前記部品情報に基づいて前記各部品の工程情報を抽出する工程情報抽出ステップと、前記部品情報及び前記工程情報から成る工程設定情報と予め設定された工程決定基準とに基づいて前記接続ブロック毎に組立て工程を決定する組立て工程決定ステップとを備えることを特徴とする。
上記目的を達成するために、請求項１１記載のプログラムは、組立て費、部品費、及び部品管理費を集計して製品のコスト見積もりを行うコスト見積もり方法をコンピュータにより実行させるプログラムにおいて、前記製品の接続ブロックを抽出する接続ブロック抽出ステップと、前記接続ブロックを構成する各部品を特定する部品特定データを取得する部品特定データ取得ステップと、前記部品特定データに基づいて前記各部品の部品情報を抽出する部品情報抽出ステップと、前記部品情報に基づいて前記各部品の工程情報を抽出する工程情報抽出ステップと、前記部品情報及び前記工程情報から成る工程設定情報と予め設定された工程決定基準とに基づいて前記接続ブロック毎に組立て工程を決定する組立て工程決定ステップとを備えることを特徴とする。
上記目的を達成するために、請求項１２記載の記憶媒体は、コンピュータ読取り可能であって、上記プログラムを格納する。
【手続補正５】
【補正対象書類名】明細書
【補正対象項目名】０００８
【補正方法】変更
【補正の内容】
【０００８】
以上詳細に説明したように、請求項１記載のコスト見積もり装置、請求項６記載のコスト見積もり方法、請求項１１記載のプログラム、並びに請求項１２記載の記憶媒体によれば、製品の接続ブロックを構成する各部品の部品特定データに基づいて各部品の部品情報を抽出し、この部品情報に基づいて抽出された各部品の工程情報を抽出した後、この部品情報及び工程情報から成る工程設定情報と予め設定された工程決定基準とに基づいて、接続ブロック毎に組立て工程を決定するので、製品のコスト見積もりの精度を向上させることができる。